(57)【特許請求の範囲】
【請求項１】
−  ハウジングと、
−  毛を刈り込むための切断アセンブリと、
−  前記ハウジングに取り付け可能なコームアタッチメントと、
−  毛切断長を設定するために異なるコーム位置の間で前記コームアタッチメントを前記切断アセンブリに対して動かすための駆動ユニットと、
−  該駆動ユニットを制御するための制御ユニットと、
−  メモリユニットと、
−  第１のコーム位置を示す第１のメモリ入力を使用者から受信し、該第１のメモリ入力を受信することに応答して、第１のメモリ信号を前記制御ユニットに送信するように構成される、並びに、前記第１のコーム位置を示す第１の呼出入力を使用者から受信し、該第１の呼出入力を受信することに応答して、第１の呼出信号を前記制御ユニットに送信するように構成される、ユーザーインターフェースとを含み、
前記制御ユニットは、前記第１のメモリ信号を受信することに応答して、前記第１のコーム位置に関する位置情報を前記メモリユニット内に格納するように構成され、前記制御ユニットは、前記第１の呼出信号を受信することに応答して、前記第１のコーム位置に関する前記位置情報を前記メモリユニットから呼び出し、前記第１のコーム位置に関する前記位置情報に従って、前記コームアタッチメントを前記第１のコーム位置に動かすよう、前記駆動ユニットを制御するように構成される、
ヘアクリッピングデバイス。
【請求項２】
前記ユーザーインターフェースは、前記第１のメモリ入力並びに前記第１の呼出入力を使用者から受信するための第１のボタン又は第１の入力フィールドを含み、前記ユーザーインターフェースは、前記第１のボタン又は第１の入力フィールドが所定の第１の時間期間に亘ってアクティブ化されるならば、前記第１のメモリ信号を前記制御ユニットに送信するように構成され、前記ユーザーインターフェースは、前記第１のボタン又は第１の入力フィールドが所定の第２の時間期間に亘ってアクティブ化されるならば、前記第１の呼出信号を前記制御ユニットに送信するように構成される、請求項１に記載のヘアクリッピングデバイス。
【請求項３】
前記所定の第２の時間期間は、前記所定の第１の時間期間よりも短い、請求項２に記載のヘアクリッピングデバイス。
【請求項４】
前記ユーザーインターフェースは、（ｉ）前記第１のメモリ入力を使用者から受信するための第１のボタン又は第１の入力フィールドと、（ｉｉ）前記第１の呼出入力を使用者から受信するための第２のボタン又は第２の入力フィールドとを含む、請求項１に記載のヘアクリッピングデバイス。
【請求項５】
前記ユーザーインターフェースは、実際のコーム位置に関する位置情報及び／又は前記第１の呼出入力を受信することに応答する前記第１のコーム位置に関する位置情報を表示するように構成される、ディスプレイを含む、請求項１に記載のヘアクリッピングデバイス。
【請求項６】
光学アクチュエータ、音響アクチュエータ、又は触覚アクチュエータのうちの少なくとも１つを含む、フィードバックアクチュエータを更に含み、前記制御ユニットは、前記メモリユニット内に格納される前記第１のコーム位置に関する前記位置情報に応答して前記フィードバックアクチュエータをアクティブ化するように構成される、請求項１に記載のヘアクリッピングデバイス。
【請求項７】
前記ユーザーインターフェースは、第２のコーム位置を示す第２のメモリ入力を使用者から受信し、該第２のメモリ入力を受信することに応答して、第２のメモリ信号を前記制御ユニットに送信するように更に構成され、前記ユーザーインターフェースは、前記第２のコーム位置を示す第２の呼出入力を使用者から受信し、該第２の呼出入力を受信することに応答して、第２の呼出信号を前記制御ユニットに送信するように構成され、
前記制御ユニットは、前記第２のメモリ信号を受信することに応答して、前記第２のコーム位置に関する位置情報を前記メモリユニット内に格納するように構成され、前記制御ユニットは、前記第２の呼出信号を受信することに応答して、前記第２のコーム位置に関する前記位置情報を前記メモリユニットから呼び出すように構成され、且つ、前記第２のコーム位置に関する前記位置情報に従って、前記コームアタッチメントを前記第２のコーム位置に動かすよう、前記駆動ユニットを制御するように構成される、
請求項１に記載のヘアクリッピングデバイス。
【請求項８】
前記ユーザーインターフェースは、（ｉ）ディスプレイと、（ｉｉ）前記第１のメモリ入力、前記第２のメモリ入力、前記第１の呼出入力、及び前記第２の呼出入力を使用者から受信するための、第１のボタン又は第１の入力フィールドとを含み、前記ユーザーインターフェースは、前記第１のボタン又は第１の入力フィールドが所定の第１の時間期間に亘ってアクティブ化されるならば、前記ディスプレイ上に選択メニューを示すように構成され、前記選択メニューは、使用者が前記第１のメモリ信号又は前記第２のメモリ信号を前記制御ユニットに送信するのを選択することを可能にし、前記ユーザーインターフェースは、前記第１のボタン又は第１のフィールドが所定の第２の時間期間に亘って一度アクティブ化されるならば、前記第１の呼出信号を前記制御ユニットに送信するように構成され、前記ユーザーインターフェースは、前記第１のボタン又は第１の入力フィールドが所定の第２の時間期間に亘って二度アクティブ化されるならば、前記第２の呼出信号を前記制御ユニットに送信するように構成され、前記所定の第２の時間期間は、前記所定の第１の時間期間よりも短い、請求項７に記載のヘアクリッピングデバイス。
【請求項９】
前記ユーザーインターフェースは、（ｉ）ディスプレイと、（ｉｉ）所望のコーム位置を示す毛切断長入力を使用者から受信するための毛切断長コントローラとを含み、前記制御ユニットは、前記毛切断長入力に応答して、前記コームアタッチメントを前記所望のコーム位置に動かすように構成される、請求項１に記載のヘアクリッピングデバイス。
【請求項１０】
前記駆動ユニットは、前記コームアタッチメントを無段式に動かすように構成される、請求項１に記載のヘアクリッピングデバイス。
【請求項１１】
前記駆動ユニットは、前記コームアタッチメントを段階式に動かすように構成される、請求項１に記載のヘアクリッピングデバイス。
【請求項１２】
当該ヘアクリッピングデバイスは、異なる大きさ及び／又は形状を有する第１及び第２のコームアタッチメントを含み、前記第１又は第２のコームアタッチメントが前記ハウジングに取り付けられたか否かを識別するように構成されるコーム認識ユニットを更に含み、該コーム認識ユニットは、前記第１又は第２のコームアタッチメントの識別に応じて、前記制御ユニット、前記メモリユニット、及び／又は前記ユーザーインターフェースの設定を変更するように更に構成される、請求項１に記載のヘアクリッピングデバイス。
【請求項１３】
前記切断アセンブリは、可動切断ブレードと、静止切断ブレードとを含み、当該ヘアクリッピングデバイスは、（ｉ）前記可動切断ブレードを駆動するためのモータと、（ｉｉ）該モータをアクティブ化し且つ非アクティブ化するためのアクティブ化ボタン又はアクティブ化入力フィールドとを更に含む、請求項１に記載のヘアクリッピングデバイス。
【発明の詳細な説明】
【技術分野】
【０００１】
本発明は、コームアタッチメント(comb  attachment)を備えるヘアクリッピングデバイス(hair  clipping  device)であって、コームアタッチメントはヘアクリッピングデバイスのハウジングに取り付け可能である、ヘアクリッピングデバイスに関する。本発明は、特に、使用者が彼らの好みの長さ設定を格納し且つメモリ入力を選択することによって長さ設定を素早く変更するのを可能にするメモリ機能を備える、ヘアクリッピングデバイスに関する。
【背景技術】
【０００２】
電気毛切断器具は概ね知られており、本線供給される電気によって動力供給されるにしろ或いは電池によって動力供給されるにしろ、トリマ(trimmers)、クリッパ(clippers)、及びシェーバ(shavers)を含む。そのようなデバイスは、一般的には、人が手入れの行き届いた外観を有するのを可能にするよう、体毛、特に、顔の毛及び頭の毛を刈り込む(trim)ために用いられる。
【０００３】
一般的には、毛を切断する従来的なデバイスは、（ここでは遠位端と呼ぶ）前方端又は切断端と反対側のハンドル端とを有する細長いハウジングを形成する、本体を含む。切断アセンブリが遠位端に配置される。切断アセンブリは、通常、静止切断エッジを備える静止切断ブレードと、可動切断エッジを備える可動切断ブレードとを含む。可動切断ブレードは、静止切断ブレードに対して往復式に動く。切断アセンブリは、切断アセンブリの向きがヘアクリッピングデバイスのハウジング又は本体を方向付ける使用者によって決定されるよう、ヘアクリッパのハウジングに対して単一の位置に固定されるのが普通である。静止切断エッジ及び可動切断エッジは、静止切断ブレード及び可動切断ブレードの先端部分にそれぞれ配置される。これらの切断エッジは、切断エッジが常に使用者に見えるよう、ヘアクリッピングデバイスのハウジングの前方側から突出するのが普通である。これは使用者が毛が正確にどこで切断されるのか見るのを容易にし、それは精巧な毛の輪郭を形成し且つ創るためにヘアクリッピングデバイスを用いるときに特に有利である。
【０００４】
異なる毛の切断長のために用いられる可能性を提供するヘアクリッピングデバイスについての大きな使用者要求があるので、多くの既知のヘアクリッピングデバイスは、別個の異なる大きさのコームアタッチメントを利用する。これらのコームアタッチメントは、一般的には、切断アセンブリを皮膚に対して位置付けるよう、ヘアクリッピングデバイスの遠位端に取り付けられる。換言すれば、そのようなコームアタッチメントは、皮膚の上を動いて毛を切断アセンブリに向かって誘導するガイドとして用いられる。典型的には、コームアタッチメントは、切断アセンブリの上に取り付けられ、切断ブレード、具体的には、それらの切断エッジ（静止切断エッジ及び可動切断エッジ）を、毛が伸びる皮膚の表面から離れる方向に離間させる。しかしながら、毛切断長が変えられるべきときに、コームアタッチメントを異なるものと常に交換しなければならないことは、使用者にとって面倒である。何故ならば、これは時間がかかるのみならず、使用者は複数の異なる大きさのコームアタッチメントを備えなければならないからである。
【０００５】
従って、多くの従来技術のヘアクリッピングデバイスは、ヘアクリッピングデバイスのハウジングに対する異なる位置において調節可能である１つだけのコームアタッチメントを用いる。よって、使用者は、コームアタッチメントを、異なる毛切断長をもたらす異なる位置の間でシフトさせる。通常、これらの可動コームアタッチメントは、３ｍｍ、５ｍｍ、７ｍｍ、９ｍｍ、通常最大１２又は１５ｍｍまでの毛切断長の間で調節されることがある。そのような調節可能なコームアタッチメントを用いる従来技術のヘアクリッピングデバイスの殆どは、ヘアクリッピングデバイスのハウジングに対してコームアタッチメントを動かすための機械的解決策を提供する。よって、使用者は、異なる位置の間で手によってコームアタッチメントをシフトさせることがある。
【０００６】
米国特許出願公開第２０１２／０２３３８６６Ａ１号明細書は、調節可能なコームアタッチメントを備えるヘアクリッピングデバイスであって、コームアタッチメントの位置が電気モータを用いて調節されることがある、ヘアクリッピングデバイスを開示している。このモータは、ヘアクリッピングデバイスのハウジングに一体化されるタッチスクリーンを介して制御されてよい。よって、使用者は、タッチスクリーン上の２つのボタンを用いることによって、コームアタッチメントを異なる位置の間でシフトさせてよく、一方のボタンは、毛切断長を増大させるよう、切断アセンブリに対してコームアタッチメントを動かすためにあり、他方のボタンは、毛切断長を減少させるよう、切断アセンブリに対してコームアタッチメントを動かすためにある。これは、機械的に調節可能なコームアタッチメントに比べて使用者のために取扱いを容易化する。しかしながら、使用者は、コームアタッチメントを電子式に正しく調節することに依然として問題を有することがある。極めて短い毛切断長から極めて長い毛切断長にシフトすることは、退屈に思われることもあり、極めて時間がかかり得る。
【０００７】
よって、依然として改良の余地がある。
【発明の概要】
【発明が解決しようとする課題】
【０００８】
上述の問題を克服するヘアクリッピングデバイスを提供することが本発明の目的である。具体的には、コームアタッチメントを異なる位置において調節することについての取扱いが使用者のために容易化される、取り付け可能なコームアタッチメントを備える改良されたヘアクリッピングデバイスを提供することが目的である。
【課題を解決するための手段】
【０００９】
本発明のある特徴によれば、ヘアクリッピングデバイスが提供され、ヘアクリッピングデバイスは、
−  ハウジングと、
−  毛を刈り込む切断アセンブリと、
−  ハウジングに取り付け可能なコームアタッチメントと、
−  毛切断長を設定するために異なるコーム位置の間でコームアタッチメントを切断アセンブリに対して動かす駆動ユニットと、
−  駆動ユニットを制御する制御ユニットと、
−  メモリユニットと、
第１のコーム位置を示す第１のメモリ入力を使用者から受信し、第１のメモリ入力を受信することに応答して、第１のメモリ信号を制御ユニットに送信するように構成される、並びに、第１のコーム位置を示す第１の呼出入力を使用者から受信し、第１の呼出入力を受信することに応答して、第１の呼出信号を制御ユニットに送信するように構成される、ユーザーインターフェースとを含み、
制御ユニットは、第１のメモリ信号を受信することに応答して、第１のコーム位置に関する情報をメモリユニット内に格納するように構成され、制御ユニットは、第１の呼出信号を受信することに応答して、第１のコーム位置に関する位置情報をメモリユニットから呼び出し、第１のコーム位置に関する位置情報に従って、コームアタッチメントを第１のコーム位置に動かすよう、駆動ユニットを制御するように構成される。
【００１０】
請求項中の「第１のメモリユニット」、「第１のコーム位置」、「第１のメモリ信号」、「第１の呼出入力」、及び「第１の呼出信号」という用語において用いられる、「第１」という用語は、いかなる時間的な意味又は経時的な順序をも暗示せず、異なるメモリ入力、コーム位置、メモリ信号、呼出入力、及び呼出信号の間を区別するのを助けるに過ぎない。
【００１１】
提示されるヘアクリッピングデバイスは、米国特許出願公開第２０１２／０２３３８６６Ａ１号明細書から知られるヘアクリッピングデバイスにおいて実現されるのと同様に、電気モータを含んでよい駆動ユニットを用いて異なるコーム位置の間でコームアタッチメントを調節するのを可能にする。しかしながら、提示されるヘアクリッピングデバイスは、駆動ユニットを制御する１つ又はそれよりも多くのボタンを含んでよいユーザーインターフェースを用いることによってコームアタッチメントを「手動」で異なるコーム位置の間で動かすのを可能にするのみならず、使用者が彼の／彼女の好みの長さ設定を格納し、必要であれば、これらの長さ設定を呼び出すのも可能にする。提示されるヘアクリッピングデバイスは、その上、使用者が好む異なる長さ設定を格納してよいメモリを備える。使用者は、１つ又はそれよりも多くのボタン、タッチパネル、又はタッチスクリーンを含んでよい、ユーザーインターフェースを用いて、ヘアクリッピングデバイスを制御してよい。このユーザーインターフェースは、ヘアクリッピングデバイスのハウジングに又はハウジング内に配置されるのが好ましい。
【００１２】
提示されるヘアクリッピングデバイスのメモリ機能は、使用者がコーム位置を彼／彼女が好む毛切断長設定に極めて素早く変更するのを可能にする。使用者は、その上、ユーザーインターフェースとの相互作用を用いて、例えば、ボタンを押すことによって、メモリユニットから所望のコーム位置に関する位置情報を呼び出すだけでよい。次に、制御ユニットは、コーム位置に関する格納された位置情報をメモリユニットから呼び出し、駆動ユニットを制御してコームアタッチメントを前記コーム位置に動かす。よって、コームアタッチメントは、使用者の一回のクリックだけによって好適なコーム位置に自動的に導かれることがある。換言すれば、使用者は、好みの長さ設定に到達するまで、もはや彼自身／彼女自身でコーム位置を調節しなくてよい。
【００１３】
提示されるヘアクリッピングデバイスは特に有利である。何故ならば、本発明の発明者は、製品研究から、殆どの使用者がヘアクリッピングデバイスによって提供される長さ設定のうちの限定的な数しか使用しないのが典型的であることを認識したからである。これらの好みの長さ設定が使用者である彼自身／彼女自身によってメモリユニット内に格納させられてよいならば、使用者は、いわば、彼の／彼女の個人的な必要に従ってヘアクリッピングデバイスをプログラムしてよい。よって、ヘアクリッピングデバイスの日々の取扱いは、使用者にとってより一層快適であり且つより敏速である。
【００１４】
本発明の好適実施態様は従属項中に定められる。ある実施態様によれば、ユーザーインターフェースは、使用者から、第１のメモリ入力並びに第１の呼出入力を受信するための第１のボタン又は第１の入力フィールドを含み、ユーザーインターフェースは、第１のボタン又は第１の入力フィールドが所定の第１の時間期間に亘ってアクティブ化されるならば、第１のメモリ信号を制御ユニットに送信するように構成され、ユーザーインターフェースは、第１のボタン又は第１の入力フィールドが所定の第２の時間期間に亘ってアクティブ化されるならば、呼出信号を制御ユニットに送信するように構成される。
【００１５】
換言すれば、所望のコーム位置（即ち、第１のコーム位置）をメモリユニット内に格納するために、並びに、駆動ユニットを用いてコームアタッチメントを前記コーム位置に動かすために、前記コーム位置をメモリユニットから呼び出すために、同じボタン又は入力フィールド（即ち、第１のボタン又は第１の入力フィールド）が用いられてよい。これは使用者にとっての取扱いを容易化する。何故ならば、彼／彼女は１つのボタン又は入力フィールドだけで完全なメモリ機能を制御することがあるからである。
【００１６】
「ボタン」(“button”)という用語は、「現実の」物理的なボタンを暗示するのに対し、「入力フィールド」(“input
field”)という用語は、例えば、タッチスクリーン上に提供されることがある、仮想のボタンを暗示する。
【００１７】
ヘアクリッピングデバイスの制御ユニットは、第１のボタン又は第１の入力フィールドが使用者によってアクティブ化される時間の長さを特定することによって、使用者が新しいコーム位置をメモリユニット内に格納することを欲しているか或いはより古いコーム位置をメモリユニットから呼び出すことを欲しているかを区別するように構成される。第１のボタン又は第１の入力フィールドが所定の第１の時間期間に亘ってアクティブ化されるならば、現在設定されているコーム位置がメモリユニット内に格納される。第１のボタン又は第１の入力フィールドが使用者によって第２の時間期間に亘ってアクティブ化されるならば、制御ユニットは格納されたコーム位置をメモリユニットから呼び出し、駆動ユニットをアクティブ化してコームアタッチメントをメモリユニット内に格納されたコーム位置に動かす。
【００１８】
好適な実施態様によれば、前記所定の第２の時間期間は、所定の第１の時間期間よりも短い。換言すれば、使用者が第１のボタン又は第１の入力フィールドを、例えば、１秒以上（所定の第１の時間期間）に亘ってアクティブ化するならば、次に、制御ユニットが設定されたコーム位置に関する位置情報をメモリユニット内に格納するような、第１のメモリ信号が生成される。他方、第１のボタン又は第１の入力フィールドが、例えば、第１のボタン又は第１の入力フィールドを押す又はクリックするだけによって、例えば、１秒未満（所定の第２の時間期間）に亘ってアクティブ化されるならば、次に、制御ユニットが以前に格納されたコーム位置の位置情報をメモリユニットから呼び出し、メモリユニット内に格納された位置情報に従って駆動ユニットを制御して、コームアタッチメントを呼び出したコーム位置に動かすような、第１の呼出信号が生成される。よって、使用者は、第１の入力ボタン又は入力フィールドをより長い時間に亘って単に押すことによって、新しいコーム位置を保存してよいのに対し、彼／彼女は、第１のボタン又は第１の入力フィールドを単にクリックすることによって、コームアタッチメントを格納された位置に設定するために、格納されたコーム位置を呼び出してよい。
【００１９】
代替的に、使用者は、（ｉ）使用者から第１のメモリ入力を受信するための第１のボタン又は第１の入力フィールドと、（ｉｉ）使用者から呼出入力を受信するための第２のボタン又は第２の入力フィールドとを含んでよい。換言すれば、この場合、ユーザーインターフェースは、少なくとも２つのボタン、即ち、新しいコーム位置を格納するための１つのボタンと、格納されたコーム位置を呼び出してコームアタッチメントを呼び出したコーム位置に自動的に動かすための他のボタンとを含む。
【００２０】
更なる実施態様によれば、ユーザーインターフェースは、実際のコーム位置に関する位置情報及び／又は第１の呼出入力を受信することに応答する第１のコーム位置に関する位置情報を表示するように構成される、ディスプレイを含む。
【００２１】
そのようなディスプレイは、現在設定されている実際のコーム位置についてのフィードバックを使用者にもたらす。使用者がユーザーインターフェースを介してメモリユニットから格納されたコーム位置を呼び出すや否や、ディスプレイは、実際のコーム位置を表示することから格納されたコーム位置を表示することに切り替わるように構成されてよい。以下に更に詳細に解明されるように、メモリユニットが複数のメモリ場所を備えるメモリバンク(memory  bank)を含むならば、これは特に有利である。
【００２２】
更なる実施態様によれば、ヘアクリッピングデバイスは、光学アクチュエータ、音響アクチュエータ、又は触覚アクチュエータのうちの少なくとも１つを含む、フィードバックアクチュエータを更に含み、制御ユニットは、メモリユニット内に格納される第１のコーム位置に関する位置情報に応答してフィードバックアクチュエータをアクティブ化するように構成される。
【００２３】
この場合、使用者は、コーム位置の位置情報がメモリユニット内に成功裡に格納されたというフィードバックを受け取る。使用者が前記フィードバックを受け取るや否や、彼／彼女は第１のボタン又は第１の入力フィールドをアクティブ化することを停止してよい。即ち、使用者は第１のボタン又は第１の入力フィールドを解放してよい。
【００２４】
フィードバックアクチュエータは多くの方法において実現されてよい。例えば、所望のコーム位置／毛切断設定がメモリユニット内に格納されたことについて使用者を安心させるように、それはディスプレイの部分であり得る。代替的に、小さなラウドスピーカがヘアクリッピングデバイスのハウジング内に統合されてよく、その場合、ラウドスピーカは上述の状況において音を生成する。更なる代替において、ヘアクリッピングデバイスは、上述の状況において振動するバイブレータを含んでよい。
【００２５】
更なる実施態様によれば、ユーザーインターフェースは、第２のコーム位置を示す第２のメモリ入力を使用者から受信し、第２のメモリ入力を受信することに応答して、第２のメモリ信号を制御ユニットに送信するように更に構成され、ユーザーインターフェースは、第２のコーム位置を示す第２の呼出入力を使用者から受信し、第２の呼出入力を受信することに応答して、第２の呼出信号を制御ユニットに送信するように構成され、制御ユニットは、第２のメモリ信号を受信することに応答して、第２のコーム位置に関する位置情報をメモリユニット内に格納するように構成され、制御ユニットは、第２の呼出信号を受信することに応答して、第２のコーム位置に関する位置情報をメモリユニットから呼び出すように構成され、且つ、第２のコーム位置に関する位置情報に従って、コームアタッチメントを第２のコーム位置に動かすよう、駆動ユニットを制御するように構成される。
【００２６】
換言すれば、この実施態様に従ったヘアクリッピングデバイスは、メモリユニット内の２つの毛切断長設定の格納を可能にする。ヘアクリッピングデバイスが２つよりも多くの毛切断長設定の格納を可能にしてもよいのは勿論であることが理解されよう。好適な実施態様によれば、メモリユニットは、３つ又はそれよりも多くのメモリ場所を含む。
【００２７】
ユーザーインターフェースは、（ｉ）ディスプレイと、（ｉｉ）第１のメモリ入力、第２のメモリ入力、第１の呼出入力、及び第２の呼出入力を使用者から受信するための、第１のボタン又は第１の入力フィールドとを含み、ユーザーインターフェースは、第１のボタン又は第１の入力フィールドが所定の第１の時間期間に亘ってアクティブ化されるならば、ディスプレイ上に選択メニューを示すように構成され、選択メニューは、使用者が第１のメモリ信号又は第２のメモリ信号を制御ユニットに送信するのを選択することを可能にし、ユーザーインターフェースは、第１のボタン又は第１のフィールドが所定の第２の時間期間に亘って一度アクティブ化されるならば、第１の呼出信号を制御ユニットに送信するように構成され、ユーザーインターフェースは、第１のボタン又は第１の入力フィールドが所定の第２の時間期間に亘って二度アクティブ化されるならば、第２の呼出信号を制御ユニットに送信するように構成され、所定の第２の時間期間は、所定の第１の時間期間よりも短い。
【００２８】
この実施態様は、２つ又は２つよりも多くの毛切断長設定がメモリユニット内に格納され、メモリユニットから呼び出されることがあるとしても、１つだけのボタン又は入力フィールドによってメモリ機能を制御することを可能にする。よって、デバイスの取扱いは、依然として使用者にとって可能な限り単純に維持される。毛切断長設定を格納するために、使用者は、例えば、第１のボタン又は第１の入力フィールドを１秒以上（所定の第１の時間期間）に亘って押し続けてよい。次に、ディスプレイは、そのメモリ場所に所望の毛切断長設定／コーム位置が格納されてよい幾つかの選択肢（オプション）を使用者に図式的に示す選択メニューを示す。次に、使用者は１つのメモリ場所を選択し、例えば、第１のボタン又は第１の入力フィールドを再び押すことによって、その選択を確認してよい。
【００２９】
使用者が格納された毛切断長設定のうちの１つをメモリから呼び出すことを欲するならば、使用者は第１のボタン又は第１の入力フィールドを簡単にクリックするか或いは例えば１秒未満（所定の第２の時間期間）に亘って押すことによって、前記ボタン又は入力フィールドをアクティブ化しなければならない。第１のボタン又は第１の入力フィールドを初めて押した後に、コームアタッチメントはメモリユニット内に格納された第１のコーム位置に動く。第１のボタン又は第１の入力フィールドが二度目に押されるならば、コームアタッチメントはメモリユニット内に格納された次のコーム位置に動く等である。
【００３０】
更なる実施態様によれば、ユーザーインターフェースは、（ｉ）ディスプレイと、（ｉｉ）所望のコーム位置を示す毛切断長入力を使用者から受信するための毛切断長コントローラとを含み、制御ユニットは、毛切断長入力に応答して、コームアタッチメントを所望のコーム位置に動かすように構成される。
【００３１】
換言すれば、コームアタッチメントは、メモリユニットから事前格納されたコーム位置を呼び出すことによって自動的に動かされるのみならず、使用者が駆動ユニットを「手動」で制御して、コームアタッチメントを所望の位置に動かしてもよい。駆動ユニットは、コームアタッチメントを無段式(stepless  manner)に、或いは段階式(stepwise  manner)に、例えば、１ｍｍの段階において動かすように構成されよい。毛切断長コントローラは、多くの方法において実現されてよい。毛切断長コントローラは、スライドバー又は回転ホイールを含んでよい。これらの場合、スライドバーが上又は下にシフトさせられるならば或いは回転ホイールが左又は右に回転させられるならば、コームアタッチメントは動かされる。毛切断長コントローラは、代替的に、２つのボタン、即ち、コームアタッチメントと切断アセンブリとの間の距離を増大させるための、即ち、毛切断長を増大させるための１つのボタンと、コームアタッチメントと切断アセンブリとの間の距離を減少させるための、即ち、毛切断長を減少させるための１つのボタンとを含んでよい。
【００３２】
更なる実施態様によれば、ヘアクリッピングデバイスは、異なる大きさ及び／又は形状を有する第１及び第２のコームアタッチメントを含み、ヘアクリッピングデバイスは、第１又は第２のコームアタッチメントがハウジングに取り付けられたか否かを識別するように構成されるコーム認識ユニットを更に含み、コーム認識ユニットは、第１又は第２のコームアタッチメントの識別に応じて、制御ユニット、メモリユニット、及び／又はユーザーインターフェースの設定を変更するように更に構成される。
【００３３】
換言すれば、システムは、この実施態様において、どの種類のコームアタッチメントがヘアクリッピングデバイスのハウジングに取り付けられているかを自動的に認識する。ハウジングは、例えば、幾つかのスイッチを含んでよく、第１の種類のコームアタッチメントは、第１のスイッチをアクティブ化するように構成され、第２の種類のコームアタッチメントは、第２のスイッチをアクティブ化するように構成される。代替的に、各コームアタッチメントは、認識ユニットによって自動的に識別されるＲＦＩＤタグを含んでよい。
【００３４】
異なる種類のコームアタッチメントを認識することは、システムが特定のコームアタッチメントに自動的に適合するという利点を有する。ユーザーインターフェースは、各種類のコームアタッチメントに特に適合させられてよい。最も短い毛切断長設定にあるコームアタッチメントが、例えば、６ｍｍの毛切断長を既にもたらすならば、ユーザーインターフェースは、このコームアタッチメントのための可能な最小の毛切断長設定は６ｍｍであることをディスプレイを介して使用者に示してよい。より小さいコームアタッチメントがヘアクリッピングデバイスに取り付けられて、例えば、３ｍｍの最小の毛切断長を可能にするならば、ディスプレイは、前記コームアタッチメントの可能な最小の毛切断長が３ｍｍであることを使用者に示してよい。メモリユニットは、類似の方法において特定のコームアタッチメントに適合させられてよい。例えば、使用者が、異なるコームアタッチメントの各々について３つの毛切断長設定をメモリユニット内に格納することが可能であってよい。第１のコームアタッチメントがヘアクリッピングデバイスのハウジングに取り付けられるならば、使用者は、この特定のコームアタッチメントのために彼／彼女がメモリユニット内に事前保存した３つの異なるコーム位置をメモリユニットから呼び出してよい。次に、使用者が第２のコームアタッチメントを取り付けるならば、使用者は、彼／彼女が第２のコームアタッチメントのためにメモリ内に保存した３つの他のコーム位置を呼び出してよい。
【００３５】
好適な実施態様によれば、切断アセンブリは、可動切断ブレードと、静止切断ブレードとを含み、ヘアクリッピングデバイスは、（ｉ）可動切断ブレードを駆動するためのモータと、（ｉｉ）モータをアクティブ化し且つ非アクティブ化するためのアクティブ化ボタン又はアクティブ化入力フィールドとを更に含む。このアクティブ化ボタン又はアクティブ化入力フィールドは、前述の第１のボタン又は第１の入力フィールドと異なってよい。しかしながら、アクティブ化入力フィールドは、使用者が上記で説明した方法においてメモリ機能を制御する、タッチスクリーンの部分でもよい。
【００３６】
本発明のこれらの及び他の特徴は、以下に記載する実施態様から明らかであり、以下に記載する実施態様を参照して解明されるであろう。
【図面の簡単な説明】
【００３７】
【図１】本発明に従ったヘアクリッピングデバイスの例示的な実施態様の正面図を示している。
【図２】本発明に従ったヘアクリッピングデバイスの例示的な実施態様の部分分解図を示している。
【図３】本発明に従ったヘアクリッピングデバイスの例示的な実施態様の構成部品を上側から概略的に例示する概略図を示している。
【図４】本発明に従ったヘアクリッピングデバイスの例示的な実施態様の構成部品を側方から概略的に例示する概略図を示している。
【図５】本発明に従ったヘアクリッピングデバイスの例示的な実施態様のユーザーインターフェースの部分を詳細に示す拡大図を示している。
【図６】本発明に従ったヘアクリッピングデバイスの例示的な実施態様のユーザーインターフェースの部分を詳細に示す更なる拡大図を示している。
【図７】本発明に従ったヘアクリッピングデバイスによって提供されるメモリ機能の格納手順を例示する概略的なブロック図を示している。
【図８】本発明に従ったヘアクリッピングデバイスによって提供されるメモリ機能の呼出手順を例示する概略的なブロック図を示している。
【発明を実施するための形態】
【００３８】
図１及び２は、本発明に従ったヘアクリッピングデバイス(hair  clipping  device)の例示的な実施態様を頂面図（図１）において並びに部分分解図（図２）において示している。ヘアクリッピングデバイスは、そこにおいて、全体的に参照番号１０で指し示されている。
【００３９】
ヘアクリッピングデバイス１０は、ヘアクリッピングデバイス１０に解放可能に取り付け可能であるコームアタッチメント１２(comb  attachment)を含む。ヘアクリッピングデバイス１０は、ハウジング１４を更に含み、全ての残余の部品がハウジング内に統合されるのが普通であり、コームアタッチメント１２がハウジング１４に取り付けられてよい。ハウジング１４は、切断アセンブリ１６のためのホルダとしての機能も果たす。切断アセンブリ１６は、ハウジング１４の遠位端１８に解放可能に固定されてよい。しかしながら、切断アセンブリ１６は、ハウジング１４の遠位端１８に恒久的に固定されてもよい。ハウジング１４は、その後方端、即ち、遠位端１８と反対の端でハンドル２０を形成する、細長い本体として実現されるのが普通である。
【００４０】
切断アセンブリ１６は、静止切断ブレード２２と、可動切断ブレード２４とを含む。可動切断ブレード２４は、静止切断ブレード２２の上面に既知の方法において移動可能に取り付けられる。可動切断ブレード２４は、１つ又はそれよりも多くのバネ（図示せず）を用いて静止切断ブレード２２に対して弾性的に付勢される。これらのバネは、２つの切断ブレード２２，２４を互いに近接して維持するために、可動切断ブレード２４に対してバネ力を加える。
【００４１】
動作中、毛切断は、他の従来的なヘアクリッピングデバイスから知られるように、静止切断ブレード２２と静止切断ブレード２２上を往復する可動切断ブレード２４との相互作用によって行われる。
【００４２】
静止切断ブレード２２は、通常、可動切断ブレード２４よりも厚く設計される。静止切断ブレード２２は「ガード」とも表示される。良好な切断性能を受けるために、可動切断ブレード２４は、ガード２２の上面に対して能動的に押し付けられて、いわゆる歯圧(teeth  pressure)を受ける。この歯圧は、とりわけ、２つの切断ブレード２２，２４を押し付ける上述のバネによって保証される。
【００４３】
モータ（図示せず）を含む駆動構成が、可動切断ブレード２４を静止切断ブレード２２に対して往復式に駆動させるように構成される。モータ自体は、通常、本線供給される電気によって動力供給される或いは電池によって動力供給される電気モータ(electric  motor)として実現される。
【００４４】
達成されるべき所望の毛切断長に応じて、ヘアクリッピングデバイス１０は、コームアタッチメント１２と共に用いられてよく、或いはコームアタッチメント１２と共に用いられなくてよい。特に、より長い毛切断長が望まれるときに、コームアタッチメント１２は、ハウジング１４の遠位端１８に取り付けられてよい。コームアタッチメント１２は、いわば、使用者の皮膚と切断アセンブリ１６との間のスペーサとして作用するので、結果として得られる毛切断の長さは、コームアタッチメント１２のないヘアクリッピングデバイス１０の使用と比べて、増大させられる。
【００４５】
コームアタッチメント１２は、互いに平行に配置されるのが好ましい複数のコーム歯２６（櫛歯）を含む。図２から更に分かるように、コームアタッチメント１２は、例えば、２つのビーム２８ａ，２８ｂを含んでよい、取付部分(attachment  portion)を含む。これらの２つのビーム２８ａ，２８ｂは、ハウジング１４の取付部(mounting  portion)の各側に設けられるそれぞれのスロット３０内に挿入されてよい。コームアタッチメント１２の取付部分は、少なくとも１つのスナップ留め部材３２を更に含んでよい。このスナップ留め部材３２は、ヘアクリッピングデバイス１０のハウジング１４に取り付けられるときに、コームアタッチメント１２を固定してよい。
【００４６】
ヘアクリッピングデバイスのコームアタッチメント１２は、この種類の既知のヘアクリッピングデバイスの大部分と対照的に、自動的に、即ち、自動化された方法において移動させられてよい。図３及び４に概略的に示すように、ヘアクリッピングデバイス１０は、その上、ユーザーインターフェース３４と、制御ユニット３６と、駆動ユニット３８と、メモリユニット４０とを含む。ユーザーインターフェース３４は、ディスプレイ４２と、毛切断長コントローラ４４と、メモリボタン４６（ここでは第１のボタン又は第１の入力フィールドとも表示する）と、アクティブ化ボタン４８（例えば、図１を参照）とを含んでよい。
【００４７】
ディスプレイ４２は、例えば、コームアタッチメント１２の実際の位置を使用者に示してよい。即ち、ディスプレイ４２は、目下設定されているコームアタッチメント１２の長さ設定を示してよい。ディスプレイ４２は、以下に更に詳細に解明されるように、メモリユニット４０内に格納される長さ設定を使用者に示してもよい。
【００４８】
毛切断長コントローラ４４は、次に、制御ユニット３６が、駆動ユニット３８をアクティブ化することによって、コームアタッチメント１２を所望のコーム位置に動かすよう、所望のコーム位置を示す毛切断長入力を使用者から受け取るように構成される。図１に示す実施例において、毛切断長入力は、毛切断長コントローラ４４の部分を形成するスライドバーを動かすことによって、使用者によって提供されてよい。このスライドバーを上向きにシフトさせることは、例えば、ヘアクリッピングデバイス１０の毛切断長設定が増大させられるよう、コームアタッチメント１２を切断アセンブリ１６から離れる方向に移動させる。毛切断長コントローラ４４のスライドバーを下向きにシフトすることは、代わりに、ヘアクリッピングデバイス１０の毛切断長設定が減少させられるよう、コームアタッチメント１２を切断アセンブリ１６に向かって移動させる。図示するスライドバーの代わりに、毛切断長コントローラ４４は、回転ホイールを含むこともでき、回転ホイールを左に又は右にそれぞれ回転することによってコーム位置を変更することを可能にする。更なる代替によれば、毛切断長コントローラ４４は、２つのボタン、即ち、毛切断長設定を増大させる１つのボタンと、毛切断長設定を減少させる１つのボタンとを含んでもよい。
【００４９】
アクティブ化ボタン４８は、可動切断ブレード２４を駆動させるモータ（図示せず）をアクティブ化すること及び非アクティブ化することを可能にする。よって、コームアタッチメント１２を制御するための制御回路は、切断アセンブリ１６を制御する制御回路から独立してよい。しかしながら、これらの２つの制御回路は、代替的に、１つだけの共通の制御回路内に組み入れられてよい。
【００５０】
コームアタッチメント１２は、駆動ユニット３８を用いて異なるコーム位置の間で動かされる。図３及び４に示す実施態様によれば、駆動ユニット３８は、アクチュエータ５０、又は、より具体的には、電気モータ(electromotor)を含む。アクチュエータ５０は、伝動要素５４(transmission  element)に連結される変速装置部材５２(gearing  member)に連結されてよい。この変速装置要素５４は、もしあるならば、アクチュエータ５０及び伝動装置部材５２の回転出力運動を、コームアタッチメント１２の基本的に長手方向の位置付け運動に変換する。変速装置要素５４は、例えば、コームアタッチメント１２のキャリッジ部材５８に取り付けられるスピンドルナット５６に連結されるスピンドルとして実現されてよい。しかしながら、これは駆動ユニット３８を実施する１つの例示的な方法に過ぎないことが留意されなければならない。代替的に、駆動ユニット３８は、他の種類の線形モータ又は回転モータも含み得る。
【００５１】
本発明に従ったヘアクリッピングデバイス１０の中心機能の１つは、使用者が彼の／彼女の好みの長さ設定、即ち、彼の／彼女の好みのコームアタッチメント１２のコーム位置を格納することを可能にする、メモリ機能の適用である。このようにして、使用者は、彼／彼女が前もって格納したメモリ記入事項(memory  entry)を選択することによって、コームアタッチメントのコーム位置を素早く変更してよい。このメモリ機能を以下に詳細に説明する。
【００５２】
ヘアクリッピングデバイス１０の図示の実施例に従ったユーザーインターフェース３４は、使用者がメモリユニット４０内に所望の毛切断長設定を格納するために並びにメモリユニット４０から格納した毛切断長設定を呼び出すために用いてよい、単一のメモリボタン４６（ここでは第１のボタン又は第１の入力フィールドとして表示する）を含む。
【００５３】
メモリユニット４０内に所望の毛切断長設定を格納するための例示的な手順が、図７に概略的に示されている。第１のステップＳ１００において、使用者は、毛切断長コントローラ４４を用いて、所望の設定、即ち、所望のコーム位置を選択しなければならない。コームアタッチメント１２が所望のコーム位置にいちづけられるや否や、使用者はこのコーム位置をメモリユニット４０内に保存してよい。使用者はディスプレイ４２を介してコーム位置を確認してよい。次のステップＳ１０２において、使用者は、第１のボタン４６をより長い時間に亘って、例えば、１秒以上（所定の第１の時間期間）に亘って押さなければならない。次に、ディスプレイ４２は、メモリ場所６２ａ〜６２ｃ異なる選択肢（オプション）を備える選択メニュー６０を示す（ステップＳ１０４、図５も参照）。ディスプレイ４２は、例えば、各々がメモリユニット４０内の異なるメモリ場所を示す、幾つかの番号を示してよい。ディスプレイ４２の選択メニュー６０は、例えば、彼／彼女が今やメモリ場所６２ａ〜６２ｃを選択してよいことを使用者に示すために、点滅し始めるように構成されてよい。次に、使用者は、メモリボタン４６を一度又は一度よりも多くクリックすることによってステップＳ１０６においてメモリ場所を選択してよい。「クリックすること」(“clicking”)は、例えば、メモリボタン４６を１秒未満（所定の第２の時間期間）に亘って押すことを意味してよい。使用者がこの状況においてメモリボタン４６を一度だけ押すならば、第１のメモリバンク６２ａ(memory  bank)が選択され、彼／彼女がメモリボタン４６を二度押すならば、第２のメモリバンク６２ｂが選択され、彼／彼女がメモリボタン４６を三度押すならば、第３のメモリバンク６２ｃが選択される等である。換言すれば、メモリボタン４６を一度だけ押すことは、制御ユニット３６に送信される第１のメモリ信号を生成する。第１のメモリ信号に応答して、制御ユニット３６は、選択されたコーム設定／位置をメモリユニット４０の第１のメモリバンク６２ａ内に格納する。メモリボタン４６を二度押すことは、制御ユニット３６に送信される第２のメモリ信号を生成する。第２のメモリ信号に応答して、制御ユニット３６は、所望のコーム設定／位置をメモリユニット４０の第２のメモリバンク６２ｂ内に格納する。メモリボタン４６を三度押すことは、制御ユニット３６に送信される第３のメモリ信号を生成する。第３のメモリ信号に応答して、制御ユニット３６は、所望のコーム設定／位置をメモリユニット４０の第３のメモリバンク６２ｃ内に格納する。使用者は、例えば、メモリボタン４６を再び１秒以上押すことによって、選択されたメモリ場所６２ａ〜６２ｃを確認してよい。制御ユニット３６は、メモリユニット４０内に格納される所望のコーム設定／位置に応答して、フィードバックアクチュエータ６２をアクティブ化させるように構成されてよい（ステップＳ１１０及びＳ１１２）。このフィードバックアクチュエータ６２は、所望の長さ設定がメモリユニット４０内に成功裡に格納されたというフィードバックを使用者に与えてよい。フィードバックアクチュエータ６２は、振動アラーム、音響信号、又は光学信号を生成してよい。好適な実施態様において、フィードバックアクチュエータ６２は、ディスプレイ４２の部分である。長さ設定が格納されたことについて使用者を安心させるために、選択メニュー６０は、例えば、もう一度点滅し、次に、薄暗くなってよい。
【００５４】
上述の保存手順は、メモリユニット４０が１つだけのメモリ場所６２又は１つよりも多くのメモリ場所を含む場合に同様に又は類似に実現されてよい。メモリユニット４０が１つだけのメモリ場所６２を含む場合、ステップＳ１０４〜Ｓ１０８は省略されてよい。次に、メモリボタン４６をより長い時間期間（所定の第１の時間期間、ステップＳ１０２）に亘って押すことは、制御ユニットに送信される第１のメモリ信号を直接的に生成し、次いで、制御ユニットは、選択されるコーム位置に関する位置情報をメモリユニット４０内に保存する。（この場合には必要とされない）選択メニュー６０を点滅させることによって所望のコーム設定／位置がメモリユニット４０内に保存されたというフィードバックを使用者に提供することの代わりに、フィードバックアクチュエータ６２は、１つのだけのメモリ場所６２の場合に、特定のシンボル６４をディスプレイ４２上に示し得る（例えば、図６を参照）。
【００５５】
１つだけのメモリボタン４６を有する代わりに、１つよりも多くのメモリボタン、例えば、各メモリ場所／バンク６２ａ〜６２ｃ毎に１つのメモリボタンが設けられてよいことも、明らかであるはずである。
【００５６】
図８は、使用者がメモリユニット４０内に格納されたコーム設定／位置をどのように呼び出してよいかの手順を概略的に示している。使用者は、それに加えて、例えば、メモリボタン４６上をクリックすることによって、１秒未満（所定の第２の時間期間）に亘ってメモリボタン４６を押しさえすればよい（ステップＳ２００）。次に、ディスプレイ４２は、第１のメモリ場所６２ａ内に格納された設定を示す（ステップＳ２１０）。ディスプレイ４２上に示される設定が、使用者が望む設定であるならば、彼／彼女はその設定を確認してよい（ステップＳ２１６）。しかしながら、設定を確認することは、使用者の能動的なフィードバックを必ずしも必要としない。設定は、例えば、使用者がメモリボタン４６を押した後で何もしない場合にも確認され得る。他方、使用者が、第２のメモリ場所６２ｂからコーム設定を呼び出すことを欲するならば、使用者は、メモリボタン４６上をもう一度（又は直接的に二度）クリックする（ステップ２１２）。次に、ディスプレイ４２は、第２のメモリ場所６２ｂ内に格納された設定を示す（ステップＳ２１４）。使用者が、第３のメモリ場所６２ｃから設定を呼び出すことを欲するならば、彼／彼女はメモリボタン４６を三度押さなければならない。換言すれば、メモリボタン４６を所定の第２の時間期間（例えば、１秒未満）に亘って一度押すことは、制御ユニット３６に送信される第１の呼出信号を生成する。メモリボタン４６を第２の所定の時間期間に亘って二度押すことは、制御ユニット３６に送信される第２の呼出信号を生成する。メモリボタン４６を第２の所定の時間期間に亘って三度押すことは、制御ユニット３６に送信される第３の呼出信号を生成する。しかしながら、これらの異なる信号は例示的な手段として本明細書中で用いられているに過ぎないことが留意されるべきである。実際には、制御ユニット３６は、メモリボタン４６がどれぐらい頻繁に或いはどれぐらい長く押されるかを認識し、次に、相応して反応する。メモリボタン４６が一度押されるならば、即ち、第１の呼出信号が受信されるならば、制御ユニット３６は、メモリユニット４０の第１のメモリ場所６２ａ内に格納される第１のコーム位置にコームアタッチメント１２を動かすよう、駆動ユニット３８を制御する。メモリボタン４６が二度押されるならば（即ち、第２の呼出信号が受信されるならば）、制御ユニット３６は、メモリユニット４０の第２のメモリ場所６２ｂ内に格納される第２のコーム位置にコームアタッチメント１２を動かすよう、駆動ユニット３８を制御する。メモリボタン４６が三度押されるならば、即ち、第３の呼出信号が受信されるならば、制御ユニット３６は、メモリユニット４０の第３のメモリ場所６２ｃ内に格納される第３のコーム位置にコームアタッチメント１２を動かすよう、駆動ユニット３８を制御する（Ｓ２１８）。
【００５７】
これは図面中に特に示されていないが、本発明に従ったヘアクリッピングデバイス１０は、１つよりも多くのコームアタッチメント、例えば、第１及び第２のコームアタッチメントを含んでよく、第１又は第２のコームアタッチメントはヘアクリッピングデバイス１０のハウジング１４に取り付けられてよい。この場合、ヘアクリッピングデバイス１０は、制御ユニット３６内に一体化されてよい或いは制御ユニット３６の部分であってよいコーム認識ユニットを含んでよい。このコーム認識ユニットは、第１又は第２のコームアタッチメントがハウジング１４に取り付けられているか否かを識別するように構成されてよく、第１又は第２のコームアタッチメントの識別に応じて、制御ユニット３６、メモリユニット４０、及び／又はユーザーインターフェース３４の設定を変更してよい。これは異なるコームアタッチメントの各々について異なるメモリ場所を用いる可能性をもたらすことがある。
【００５８】
本発明を図面及び前述の記述中に詳細に例示し且つ記載したが、そのような例示及び記述は例示的又は例証的であると考えられるべきであり、限定的であると考えられるべきでない。本発明は、開示する実施態様に限定されない。請求項の発明を実施する当業者は、図面、本開示、及び付属の請求項の研究から、開示の実施態様に対する他の変形を理解し且つもたらし得る。
【００５９】
請求項において、「含む」という用語は、他の要素又はステップを排除せず、単数形の表現は、複数を排除しない。単一の要素又は他のユニットは、請求項中に引用される幾つかの品目の機能を充足することがある。特定の手段が相互に異なる従属項において引用されているという単なる事実は、これらの手段の組み合わせを有利に用い得ないことを示さない。
【００６０】
請求項中の如何なる参照符号も、範囲を限定するものとして解釈されてならない。
【図１】
0006298574.tif 000002
【図２】
0006298574.tif 000003
【図３】
0006298574.tif 000004
【図４】
0006298574.tif 000005
【図５】
0006298574.tif 000006
【図６】
0006298574.tif 000007
【図７】
0006298574.tif 000008
【図８】
0006298574.tif 000009